(57)【特許請求の範囲】
【請求項１】
路面に敷設され視覚障害者の歩行位置や歩行方向を案内するシート状の視覚障害者誘導用ブロックにおいて、
点状又は線状の突起が表面に並設された平面視正方形のシート状の本体部と、
前記本体部の少なくとも一辺に表裏面が滑らかに連続されるように接合され、前記本体部の側方に向けて延出されたシート状の縁部と、を有してなり、
前記縁部は、
前記本体部との当接面である内側面の下方側に鍔状に形成され、一つの内側面の全幅に沿って突設される長尺帯状の係合部と、前記長尺帯状の係合部より水平方向に連続されて所定の離間を有して突設される複数の短冊状の係合部とが一体に設けられ、
前記係合部が前記本体部の縁側領域の対応する位置に凹設されて形成される段部と相互に上下方向に重なり合って係合された状態で接合され、
前記本体部よりも表面の輝度が低くなるように形成される、
ことを特徴とする視覚障害者誘導用ブロック。
【請求項２】
前記縁部は、前記係合部の端面が平面視凹凸状に形成される請求項１に記載の視覚障害者誘導用ブロック。
【請求項３】
前記縁部は、前記本体部よりも硬度が高くなるように形成される請求項１又は請求項２に記載の視覚障害者誘導用ブロック。
【請求項４】
前記縁部は、前記本体部との表面の輝度比が２．０以上となるように形成される請求項１乃至請求項３のいずれか一項に記載の視覚障害者誘導用ブロック。
【発明の詳細な説明】
【技術分野】
【０００１】
本発明は、視覚障害者誘導用ブロックの技術に関し、より詳細には、路面に敷設され視覚障害者の歩行位置や歩行方向を案内するシート状の視覚障害者誘導用ブロックに関する。
【背景技術】
【０００２】
従来、点状又は線状の突起が表面に並設される平面視正方形の本体部を有してなり、視覚障害者の歩行位置や歩行方向を案内する視覚障害者誘導用ブロックの構成が公知である。この種の視覚障害者誘導用ブロックは、例えば、交通機関のプラットフォームや一般道路等の各種歩行路の路面などに敷設され、本体部がコンクリートや陶器等を用いてブロック状に形成されたものや、ゴムや樹脂等を用いてシート状に形成されたもの等が提案されている。
【０００３】
視覚障害者誘導用ブロックは、弱視者に対する視認性向上のために、通常、本体部（又はその表面）が路面の色相とは異なる黄色系等の目立つ色相に着色されて、足の裏や白杖の先端等で突起が認識されるだけでなく、本体部が周囲の路面とのコントラストにより視認されることで歩行位置や歩行方向が判別される。また、弱視者の視認性を確保するためには、本体部と路面と色相の違いだけでなく輝度比を大きくすることも重要である。このように、視覚障害者誘導用ブロックが敷設される際には、本体部と路面の色相や輝度の組み合わせが慎重に考慮されるものの、路面や周辺環境の状況等によっては、本体部と路面との色相が類似して対比効果が発揮されず、また本体部と路面との輝度比を十分に確保できない場合等があった。
【０００４】
かかる観点から、例えば、特許文献１には、視覚障害者誘導用ブロックを敷設した領域と、それに隣接する一般ブロックを敷設した領域との輝度比が異なるようにして、視覚障害者誘導用ブロックと周囲の路面とのコントラストを大きくした歩行路の構成が開示されている。また、特許文献２又は特許文献３には、従来の視覚障害者誘導用ブロックの構成として、本体部の少なくとも表面に輝度が異なる領域を区分けして設けた構成が開示されている。
【０００５】
しかしながら、上述した特許文献１に開示される構成では、視覚障害者誘導用ブロックと周囲の路面との色相や輝度の組み合わせを選択した上で設計通りに各ブロックを敷設する必要があるため、視覚障害者誘導用ブロック以外の一般ブロックを敷設するためのスペースを余分に確保する必要が生じ、現場での作業負担が大きいという問題があった。
また、特許文献２又は特許文献３に開示される従来の視覚障害者誘導用ブロックの構成では、視覚障害者誘導用ブロック自体に輝度が異なる領域を有するため、上述した問題は解消されるが、弱視者が視認する体部の表面の輝度の高い領域が狭められるため、弱視者の視認領域が制限され、本体部の視認性に劣るという問題があった。
【先行技術文献】
【特許文献】
【０００６】
【特許文献１】２００１−８１７４１号公報
【特許文献２】２００３−２７４３１号公報
【特許文献３】２０１０−２３６２５６号公報
【発明の概要】
【発明が解決しようとする課題】
【０００７】
そこで、本発明では、視覚障害者誘導用ブロックに関し、前記従来の課題を解決するもので、弱視者が視認する領域を確保して路面や周辺環境の状況によらず本体部を確実に視認できる視覚障害者誘導用ブロックを提供することを目的とする。
【課題を解決するための手段】
【０００８】
本発明の解決しようとする課題は以上の如くであり、次にこの課題を解決するための手段を説明する。
【０００９】
すなわち、請求項１においては、路面に敷設され視覚障害者の歩行位置や歩行方向を案内するシート状の視覚障害者誘導用ブロックにおいて、点状又は線状の突起が表面に並設された平面視正方形のシート状の本体部と、前記本体部の少なくとも一辺に表裏面が滑らかに連続されるように接合され、前記本体部の側方に向けて延出されたシート状の縁部と、を有してなり、前記縁部は、前記本体部との当接面である内側面の下方側に鍔状に形成され、一つの内側面の全幅に沿って突設される長尺帯状の係合部と、前記長尺帯状の係合部より水平方向に連続されて所定の離間を有して突設される複数の短冊状の係合部とが一体に設けられ、前記係合部が前記本体部の縁側領域の対応する位置に凹設されて形成される段部と相互に上下方向に重なり合って係合された状態で接合され、前記本体部よりも表面の輝度が低くなるように形成されるものである。
【００１１】
請求項２においては、前記縁部は、前記係合部の端面が平面視凹凸状に形成されるものである。
【００１２】
請求項３においては、前記縁部は、前記本体部よりも硬度が高くなるように形成されるものである。
【００１３】
請求項４においては、前記縁部は、前記本体部との表面の輝度比が２．０以上となるように形成されるものである。
【発明の効果】
【００１４】
本発明の効果として、弱視者が視認する領域を確保して路面や周辺環境の状況によらず本体部を確実に視認できる。
【図面の簡単な説明】
【００１５】
【図１】本発明の一実施例に係る視覚障害者誘導用ブロックの全体的な構成を示した平面図である。
【図２】図１の背面図である。
【図３】図１の下方側面図である。
【図４】図１の左右側面図である。
【図５】本体部及び縁部の接合箇所の拡大断面図である。
【図６】別実施例の視覚障害者誘導用ブロックの平面図である。
【図７】別実施例の視覚障害者誘導用ブロックの平面図である。
【図８】別実施例の視覚障害者誘導用ブロックの平面図である。
【図９】路面に敷設された状態の視覚障害者誘導用ブロックを示した平面図である。
【図１０】同じく路面に敷設された状態の視覚障害者誘導用ブロックを示した平面図である。
【発明を実施するための形態】
【００１６】
次に、発明を実施するための形態を説明する。
【００１７】
図１乃至図５に示す視覚障害者誘導用ブロック１は、路面に敷設され視覚障害者の歩行位置や歩行方向を案内するシート状の点状ブロックとして構成され、具体的には、平面視正方形のシート状の本体部２と、本体部２の表面２０に並設された点状の突起３と、本体部２の少なくとも一辺に表裏面が滑らかに連続されるように接合され、本体部１の側方に向けて延出されたシート状の縁部４等とで構成されている。なお、本実施例では、本体部２の隣接する３つの辺、すなわち上辺（図１において上方の辺）及び左右両辺（図１において左右の辺）に渡って１つの縁部４が接合される構成について説明する。
【００１８】
本体部２は、ＪＩＳ  Ｔ  ９２５１（視覚障害者誘導用ブロック等の突起の形状・寸法及びその配列に関する規定）に即した点状ブロックとして構成され、具体的には、平面視正方形に形成されたシート状部材として形成され、表面２０に複数の突起３・３・・・が並設されている。突起３は、断面略台形の円柱形状に形成され、本体部２の上下方向（図１における矢印Ｘ方向）に沿って複数（５個）が相互に間隔に離間されて並設されるとともに、同じく本体部２の左右方向（図１における矢印Ｙ方向）に沿って複数（５個）が相互に等間隔に離間されて並設されている。
【００１９】
本体部２は、裏面２１の縁側領域に縁部４との接合箇所である段部２２・２３が形成されている。本実施例の視覚障害者誘導用ブロック１では、本体部２の隣接する３つの辺に渡って縁部４が係合されるため、段部２２・２３は、本体部２の３つの辺（上辺及び左右両辺）のそれぞれの縁側領域に裏面２１が表面２０に向けて平面状に凹設されて形成されている。
【００２０】
段部２２は、本体部２の１つの側面の全幅に沿って奥行長さＤ１の平面視長尺帯状に凹設されている（図５（ａ）参照）。段部２３は、本体部２の１つの側面に沿って等間隔に複数（本実施例では４つ）が配設され、段部２２より水平方向に連続されて奥行長さＤ２（Ｄ２＞Ｄ１）の平面視短冊状に凹設されている（図５（ｂ）参照）。すなわち、段部２２・２３は、１つの段部２２より４つの段部２３・２３・・・が連続されて、裏面２１との境界が平面視凹凸状となるように一体に形成されている（図２参照）。
【００２１】
縁部４は、一定の幅方向長さＷ（図１参照）で平面視略コ字型に延出されたシート状部材として形成され、本体部２の３つの辺（上辺及び左右両辺）に渡って接合されて、本体部２の側方に向けて延出されている。縁部４は、厚さＴが本体部２の厚さと等しくなるように形成され、本体部２の表面２０及び縁部の表面４０、並びに本体部２の裏面２１及び縁部の裏面４１がそれぞれ同一平面となるように滑らかに連続されている（図５参照）。
【００２２】
縁部４は、裏面４１に上述した本体部２との接合箇所である係合部４２・４３が形成されている。係合部４２・４３は、本体部２との当接面である内側面に形成され、各側面に沿って下方側（裏面４１の側）が鍔状に突設されて形成されている。
【００２３】
係合部４２は、縁部４の１つの側面の全幅に沿って突出長さＬ１の平面視長尺帯状に突設されている（図５（ａ）参照）。係合部４３は、本体部２の１つの側面に沿って等間隔に複数（本実施例では４つ）が配設され、係合部４２より水平方向に連続されて突出長さＬ２（Ｌ２＞Ｌ１）の平面視短冊状に突設されている（図５（ｂ）参照）。すなわち、係合部４２・４３は、１つの係合部４２より４つの係合部４３・４３・・・が連続されて、端面が平面視凹凸状となるように一体に形成されている（図２参照）。
【００２４】
段部２２・２３及び係合部４２・４３は、段部２３及び係合部４３が対応する位置に同数配設され、段部２２の奥行長さＤ１及び係合部４２の突出長さＬ１、並びに段部２３の奥行長さＤ２及び係合部４３の突出長さＬ２がそれぞれ同じ長さに形成され、段部２２・２３の境界及び係合部４２・４３の端面が同形状の平面視凹凸状となるように形成されて、相互に上下方向に重なり合って係合可能とされている。本体部２及び縁部４は、この段部２２・２３及び係合部４２・４３を接合箇所として一体とされている。
【００２５】
本体部２の裏面２１及び縁部４の裏面４１には、例えば、粘着剤が塗布された接着テープや接着剤等の接着部（図略）が設けられ、視覚障害者誘導用ブロック１を路面に施設する際にかかる接着部を施工面に面圧着させる等して取り付けられる（図９及び図１０参照）。
【００２６】
本実施例の視覚障害者誘導用ブロック１では、本体部２及び縁部４が所定の色相に着色されて、縁部４の表面４０の輝度が本体部２の表面２０の輝度よりも低くなるように形成される。好ましくは縁部４の表面４０と本体部２の表面２０との輝度比が２．０以上となるように形成され、より好ましくは３．０以上となるように形成される。縁部４が本体部２との表面の輝度比が２．０以上となるように形成されることで、本体部２の視認性をより高めることができる。
【００２７】
ここでの「輝度」とは、単位面積当たり、単位立体角当たりの放射エネルギーを比視感度で計測されるものであり、輝度計により測定される。「輝度比」とは、輝度が大きい方を除算することで求められ、本実施例では本体部２の表面２０の輝度を縁部４の表面４０の輝度で除した値のことである。
【００２８】
本体部２及び縁部４の色相は、輝度が異なり本体部２の表面２０と縁部４の表面４０とを区分できるものであれば、同色でも異色でもよい。異色の場合としては、黄色系とグレー系の組み合わせの他に、黄色系と橙色系、又は水色系と深緑系などの多様な組み合わせが挙げられる。
【００２９】
本体部２及び縁部４の寸法は、例えば、本体部２がＪＩＳ  Ｔ  ９２５１に即して、一辺の長さが３００ｍｍの平面視正方形に形成される場合は、縁部４は、幅方向長さＷ（詳細には表面４０の幅方向長さ、図１参照）が５〜１２０ｍｍとなるように形成され、好ましくは５０ｍｍとなるように形成される。幅方向長さＷが５ｍｍ以下であると細すぎて目立たず目地と間違えられる可能性があり、一方１２０ｍｍ以上であると本体部２と誤認して、歩行位置や歩行方向を判別できない可能性があるからである。また、縁部４は、厚さＴが本体部２と等しく２〜１０ｍｍとなるように形成される。
【００３０】
本体部２及び縁部４の材料は、主原料としてゴム、熱可塑性エラストマー、及び熱可塑性樹脂からなる群から選択される少なくとも１種、又は２種以上が用いられ、射出成形等により一体に成形される。
【００３１】
ゴムとしては、例えば、天然ゴム（ＮＲ）、スチレン−ブタジエンゴム（ＳＢＲ）、アクリロニトリル−ブタジエンゴム（ＮＢＲ）、クロロプレンゴム（ＣＲ）等のジエン系ゴム；エチレン−プロピレンゴム（ＥＰＭ）、エチレン−プロピレン−ジエンゴム（ＥＰＤＭ）、エチレン−ブテンゴム（ＥＢＭ）、クロロスルホン化ポリエチレンゴム（ＣＳＭ）、アクリルゴム（ＡＣＭ、ＡＮＭ）等のオレフィン系ゴム；エピクロロヒドリンゴム（ＥＣＯ）；シリコーンゴム（Ｑ）；フッ素ゴム；ウレタンゴム等を用いることができる。なお、これらのゴムは、単独で用いられてもよく、又は２種以上が併用されてもよい。
【００３２】
熱可塑性エラストマーとしては、例えば、スチレン系エラストマー（ＴＰＳ）、オレフィン系エラストマー（ＴＰＯ）、ポリ塩化ビニル系エラストマー（ＴＰＶＣ）、ポリエステル系エラストマー（ＴＰＥＥ）、ウレタン系エラストマー（ＴＰＵ）、ポリアミド系エラストマー（ＴＰＡ、ＴＰＡＥ）等を用いることができる。なお、これらの熱可塑性エラストマーは、単独で用いられてもよく、又は２種以上が併用されてもよい。
【００３３】
熱可塑性樹脂としては、例えば、ポリメタクリル酸メチル樹脂（ＰＭＭＡ）、アクリロニトリル−ブタジエン−スチレン共重合体樹脂（ＡＢＳ）、ポリ塩化ビニル樹脂（ＰＶＣ）、エチレン−酢酸ビニル共重合体樹脂（ＥＶＡ）、ポリスチレン樹脂（ＰＳ）、ポリエチレン樹脂（ＰＥ）、ポリプロピレン樹脂（ＰＰ）、ポリカーボネート樹脂（ＰＣ）、ポリアミド樹脂（ＰＡ）等が挙げられる。なお、これらの熱可塑性樹脂は、単独で用いられてもよく、又は２種以上が併用されてもよい。
【００３４】
上述した主原料の内で特に好ましく用いられるものとしては、スチレン−ブタジエンゴム（ＳＢＲ）、エチレン−プロピレン−ジエンゴム（ＥＰＤＭ）、スチレン系エラストマー（ＴＰＳ）、ウレタン系エラストマー（ＴＰＵ）、オレフィン系エラストマー（ＴＰＯ）、ポリメタクリル酸メチル樹脂（ＰＭＭＡ）、及びアクリロニトリル−ブタジエン−スチレン共重合体樹脂（ＡＢＳ）等が挙げられる。
【００３５】
また、上述した主原料の他に、各種添加剤として、例えば、カーンボンブラック、シリカ、二酸化チタン、各種顔料、クレー、酸化亜鉛、ステアリン酸、促進剤、加硫剤、硫黄、安定剤、劣化防止剤、加工助剤、粘着付与剤、可塑剤、ワックス、早期加硫促進剤、エクステンダー油等を適宜添加することができる。
【００３６】
主原料及び添加剤の種類並びにその配合量は、本実施例の視覚障害者誘導用ブロック１がシート状の点状ブロックとして十分な強度を有し、かつ歩行性、耐候性、防汚性、及び耐摩耗性等を損なうことのない範囲で適宜設定することができる。特に、本実施例の視覚障害者誘導用ブロック１では、本体部２が黄色系の色相に着色され、縁部４がグレー系の色相に着色される場合には、本体部２及び縁部４の材料にそれぞれ所定の添加剤（顔料）が配合される。
【００３７】
本体部２の材料としては、後述する二次成形における変形を防止するために、好ましくは添加剤として収縮防止剤が配合されたものが用いられる。
【００３８】
縁部４の材料としては、好ましくは成形時に縁部４が本体部２よりも硬度が高い材料が用いられる。縁部４の硬度の調整は、縁部４の材料中の主原料及び添加剤の配合量において、例えば、主原料としてのゴム等の配合割合を減らすか、主原料としての熱可塑性エラストマー又は熱可塑性樹脂の配合割合を増やすことで行われる。このように、縁部４が本体部２よりも硬度が高くなるように形成されることで、本体部２及び縁部４との境界で発生する滲みを低減でき、ひいては本体部２の視認性を向上できるとともに、視覚障害者誘導用ブロック１の美観も損なうことがない。
【００３９】
視覚障害者誘導用ブロック１の製造方法としては、異種材料を成形可能な射出成形機等を用いるなど公知の方法を採用することができる。例えば、一次成形として、所定形状及び寸法の縁部４が成形されるように設計された金型をセットし、かかる金型内に縁部４の材料を射出して予め縁部４を成形する。次いで、二次成形として、所定形状及び寸法の本体部２が成形されるように設計された金型をセットし、金型内に一次成形にて得られた縁部４を取り付けた状態で本体部２の材料を射出して、本体部２を成形すると同時に金型内の縁部４と本体部２とを接合させることで、本体部２及び縁部４が一体に成形された視覚障害者誘導用ブロック１を容易に得ることができる。
【００４０】
表１に、所定の材料を用いて成形した場合の視覚障害者誘導用ブロック１の物理特性の測定データ例を示す。
【００４１】
なお、表１は、本体部２及び縁部４の使用材料として、シート状の点状ブロックとして必要な物理特性を有するように、主原料としてのＴＰＳ及びＳＢＲとともにその他の各種添加剤を所定割合で配合したものを用いた場合の例示である。射出成形の条件としては、一次成形は射出温度１８０〜２３０℃、金型温度３０〜６０℃、射出時間１０〜２０秒、及び冷却時間３０〜９０秒の条件下で、二次成形は射出温度１８０〜２３０℃、金型温度３０〜６０℃、射出時間５〜１０秒、及び冷却時間３０〜９０秒の条件下で行うのが好ましい。
【００４２】
【表１】
0006385216.tif 000002
【００４３】
以上のように、本実施例の視覚障害者誘導用ブロック１は、路面に敷設され視覚障害者の歩行位置や歩行方向を案内するシート状の視覚障害者誘導用ブロック１において、点状又は線状の突起３が表面に並設された平面視正方形のシート状の本体部２と、本体部２の少なくとも一辺に表裏面が滑らかに連続されるように接合され、本体部２の側方に向けて延出されたシート状の縁部４と、を有してなり、縁部４は、本体部２よりも表面４０の輝度が低くなるように形成されるものであるため、弱視者が視認する領域を確保して路面や周辺環境の状況によらず本体部２を確実に視認できるのである。
【００４４】
すなわち、本実施例では、本体部２よりも表面の輝度が低くなるように形成された縁部４が本体部２の側方に向けて延出されて設けられるため、視覚障害者誘導用ブロック１自体に輝度が異なる領域を有するとともに、本体部２において輝度が高く弱視者が視認する領域が十分に確保されるため、敷設される路面や周辺環境に基づく影響を低減して、本体部２を確実に視認できる。また、縁部４が本体部２に表裏面が滑らかに連続されるように接合されるため、本体部２と縁部４との境界に切れ目や凹凸がなく、路面の露出や異物の混入による本体部２の視認性が低下するのを防止できる。
【００４５】
特に、本実施例の視覚障害者誘導用ブロック１では、縁部４は、側面より延出された係合部４２・４３が形成され、係合部４２・４３が本体部２の裏面２１の縁側領域に形成される段部２２・２３に係合された状態で接合されるため、簡易な構成で本体部２及び縁部４の接合面積を大きくすることができ、ひいては本体部２及び縁部４の接着強度を高めることができる。
【００４６】
また、係合部４２・４３の端面が平面視凹凸状に形成されるため、例えば、平面視長尺帯状の係合部４２と平面視短冊状の係合部４３を一体に組み合わせるなどして端面が平面視凹凸状に形成することで、段部２２・２３及び係合部４２・４３の接合面積をより大きくすることができ、本体部２及び縁部４の接着強度をより高めることができる。
【００４７】
なお、視覚障害者誘導用ブロック１の構成としては、上述した実施例に限定されず、本発明の目的を逸脱しない限りにおいて種々の変更が可能である。以下の実施例において、特に言及する場合を除いて、視覚障害者誘導用ブロックの各構成部材は上述した実施例と同様に形成される。
【００４８】
すなわち、上述した実施例の視覚障害者誘導用ブロック１は、平面視長尺帯状の段部２２及び係合部４２と平面視短冊状の段部２３及び係合部４３が一体に組み合わされて形成されるが、かかる本体部２及び縁部４の接合箇所の形状はこれに限定されず、例えば、平面視長尺帯状の段部２２及び係合部４２のみで形成されるか、又は平面視短冊状の段部２３及び係合部４３のみで形成されるように構成してもよい。
【００４９】
また、上述した実施例の視覚障害者誘導用ブロック１は、本体部２の隣接する３つの辺（上辺及び左右両辺）に渡って１つの縁部４が接合される構成について説明したが、かかる縁部４の配置形状はこれに限定されず、少なくとも本体部２の一辺に縁部４が接合されていればよい。
【００５０】
例えば、図６に示す実施例の視覚障害者誘導用ブロック１０１では、本体部１０２の隣接する２つの辺、すなわち上辺（図６において上方の辺）及び左辺（図６において左方の辺）に渡って１つの縁部１０４が接合されている。かかる場合は、縁部１０４は、幅方向長さＷ（図６参照）が一定の平面視略Ｌ字型となるように形成されたシート状部材として形成される。
【００５１】
図７に示す実施例の視覚障害者誘導用ブロック２０１では、本体部２０２の一つの辺（図７において左方の辺）に渡って１つの縁部２０４が接合されている。かかる場合は、縁部２０４は、幅方向長さＷ（図７参照）が一定の平面視略Ｉ字型となるように形成されたシート状部材として形成される。
【００５２】
図８に示す実施例の視覚障害者誘導用ブロック３０１では、まず、本体部３０２がＪＩＳ  Ｔ  ９２５１に即した線状の突起３０３が並設された線状ブロックとして構成されている。突起３０３は、断面略台形の長板状に形成され、本体部３０２の上下方向（図８における矢印Ｘ方向）に沿って並設されるとともに、本体部２の左右方向（図８における矢印Ｙ方向）に沿って複数（４個）が相互に等間隔に離間されて並設されている。そして、視覚障害者誘導用ブロック３０１では、本体部３０２の対向する２つの辺（図８において左方の辺）に渡って２つの縁部３０４・３０４がそれぞれ接合されている。かかる場合には、縁部３０４は、幅方向長さＷ（図８参照）が一定の平面視略Ｉ字型となるように形成されたシート状部材として形成される。
【００５３】
また、上述した実施例（図１、図６乃至図８）の視覚障害者誘導用ブロック１等が実際の路面に敷設される場合には、例えば、図９（ａ）に示すように、線状ブロックとしての視覚障害者誘導用ブロック３０１が連続して敷設され、その両端位置に点状ブロックとしての視覚障害者誘導用ブロック１が敷設されてもよい。また、図９（ｂ）に示すように、縁部２０４が外側に位置するようにして視覚障害者誘導用ブロック２０１が対向二列に連続して敷設され、その両端位置に同じく縁部１０４が外側に位置するようにして視覚障害者誘導用ブロック１０１が敷設されてもよい。
【００５４】
また、例えば、図１０に示すように、線状ブロックとしての視覚障害者誘導用ブロック３０１の端位置に直交するように点状ブロックとしての視覚障害者誘導用ブロック１・２０１が連続して敷設されてもよい。かかる場合には、視覚障害者誘導用ブロック１と視覚障害者誘導用ブロック３０１においていずれか一方（本実施例では視覚障害者誘導用ブロック３０１）の縁部３０４に切欠部３０４ａを形成して、視覚障害者誘導用ブロック１の縁部４と視覚障害者誘導用ブロック３０１の縁部３０４とが重畳しないように構成される（図１０（ａ）参照）。また、視覚障害者誘導用ブロック２０１と視覚障害者誘導用ブロック３０４との間に線状ブロックとしての補助ブロック５を介設して、同様に視覚障害者誘導用ブロック１の縁部４と視覚障害者誘導用ブロック３０１の縁部３０４とが重畳しないように構成されてもよい（図１０（ｂ）参照）。
【符号の説明】
【００５５】
１    視覚障害者誘導用ブロック
２    本体部
３    突起
４    縁部
２０  表面
２１  裏面
２２  段部
２３  段部
４０  表面
４１  裏面
４２  係合部
４３  係合部
【図１】
0006385216.tif 000003
【図２】
0006385216.tif 000004
【図３】
0006385216.tif 000005
【図４】
0006385216.tif 000006
【図５】
0006385216.tif 000007
【図６】
0006385216.tif 000008
【図７】
0006385216.tif 000009
【図８】
0006385216.tif 000010
【図９】
0006385216.tif 000011
【図１０】
0006385216.tif 000012